(57)【要約】【課題】簡素な構成により、原子炉格納容器の内部温度上昇時に、その内部に設置された冷却コイルに通水される冷却水が沸騰することを抑制し、原子炉格納容器の内部冷却を続行可能にする。【解決手段】原子炉格納容器内部冷却システム１は、冷却水の供給を受けて原子炉格納容器２の内部を冷却する冷却コイル３と、この冷却コイル３に冷却水を給水する給水流路４と、冷却コイル３から冷却水を排水する排水流路５と、給水流路４の流量Ｆ１を検知する給水流量検知部８と、排水流路５の流量Ｆ２を検知する排水流量検知部９と、排水流路５内の圧力を給水流路４側に選択的に供給可能に構成された圧力供給部１１と、給水流量検知部８および排水流量検知部９からの信号を受信し、排水流路５の流量Ｆ２が給水流路４の流量Ｆ１よりも大きい時に、圧力供給部１１を作動させて排水流路５内の圧力を給水流路４側に供給させる制御装置１２と、を具備してなることを特徴とする。【選択図】図１
2013181879.tif 000002
【特許請求の範囲】
【請求項１】
冷却水の供給を受けて原子炉格納容器の内部を冷却する原子炉格納容器内部冷却システムに於いて、
前記冷却水を給水する給水流路と、
前記冷却水を排水する排水流路と、
前記排水流路内の圧力を前記給水流路側に選択的に供給可能に構成された圧力供給手段と、
前記給水流路の流量値と前記排水流路の流量値とを比較し、前記排水流路の流量値の方が大きい時に、前記圧力供給手段を作動させて前記排水流路内の圧力を前記給水流路側に供給させる制御手段と、
を具備してなることを特徴とする原子炉格納容器内部冷却システム。
【請求項２】
前記圧力供給手段は、前記排水流路を流れる沸騰した冷却水を抽水し、この沸騰した冷却水に含まれる水蒸気の圧力を取り出して前記給水流路側に供給するように構成されていることを特徴とする請求項１に記載の原子炉格納容器内部冷却システム。
【請求項３】
前記圧力供給手段は、
前記排水流路から抽水された沸騰した冷却水を気液分離して加圧用蒸気を取り出す気液分離手段と、
前記給水流路側に接続されて所定の容積を備えた受圧タンクと、
前記気液分離手段と前記受圧タンクとの間を接続する圧力供給管と、
前記制御手段により開閉操作され、開弁すると前記排水流路からの抽水が開始される抽水バルブと、を備え、
前記抽水バルブが開弁されることにより、前記気液分離手段にて取り出された前記加圧用蒸気が前記圧力供給管を経て前記受圧タンク内の冷却水の水面に加えられる構成であることを特徴とする請求項２に記載の原子炉格納容器内部冷却システム。
【請求項４】
前記冷却水が貯留される冷却水供給タンク自体を前記受圧タンクとして用いたことを特徴とする請求項３に記載の原子炉格納容器内部冷却システム。
【請求項５】
原子炉設備に付設された他用途の水タンクを前記冷却水の供給タンクとしたことを特徴とする請求項１から４のいずれかに記載の原子炉格納容器内部冷却システム。
【請求項６】
停電時には、非常用電源により冷却水補給ポンプを作動させて前記冷却水を前記給水流路に給水するとともに、前記非常用電源により前記制御手段を作動させることを特徴とする請求項１から５のいずれかに記載の原子炉格納容器内部冷却システム。
【請求項７】
冷却水の供給を受けて原子炉格納容器の内部を冷却する原子炉格納容器内部冷却システムに於いて、
前記冷却水を給水する給水流路の流量と、前記冷却水を排水する排水流路の流量とを比較し、前記排水流路の流量が前記給水流路の流量よりも大きい場合に、前記排水流路内の圧力を前記給水流路側に供給することを特徴とする原子炉格納容器の冷却制御方法。
【発明の詳細な説明】
【技術分野】
【０００１】
本発明は、原子炉設備の非常時に、特に原子炉格納容器の内部の冷却を行う原子炉格納容器内部冷却システムおよび原子炉格納容器の冷却制御方法に関するものである。
【背景技術】
【０００２】
例えば特許文献１に開示されているように、原子炉格納容器（原子炉建屋）の内部には、内部温度を規定の温度に冷却し、維持するドライウェル冷却装置、もしくはＣＣＷＳ（component cooling water system）とも呼ばれる冷却システムが設置されている。これは、原子炉格納容器の内部に冷却コイル（水冷熱交換手段）が設置され、緊急時には、この冷却コイルに原子炉格納容器の外部から冷却水を通水することによって熱交換を行わせ、原子炉格納容器の内部温度を一定に保つ温度調整システムである。
【先行技術文献】
【特許文献】
【０００３】
【特許文献１】特開２００１−２１５２９１号公報
【発明の概要】
【発明が解決しようとする課題】
【０００４】
原子炉の異常等により、原子炉格納容器の内部温度が上昇した場合には、前記の原子炉格納容器内部冷却システムの冷却コイルの内部で水蒸気が大量に発生し、冷却コイルが破損する虞がある。このような場合には、冷却コイルに流す冷却水の流量を多くしなければならないが、地震や津波等の災害によって全電源喪失状態（ＳＢＯ：Station Black Out）となった場合には、ＣＣＷＳが停止し、冷却水の供給が不可能になることに加えて、水源が枯渇する虞も出てくるため、冷却コイルに冷却水を循環させて原子炉格納容器内を冷却することができなくなる可能性が高い。
【０００５】
本発明は、かかる従来技術の問題を解決するためになされたものであり、簡素で信頼性の高い構成により、原子炉格納容器の内部温度上昇時に、原子炉格納容器の内部に設置された水冷熱交換手段に通水される冷却水が沸騰することを抑制し、原子炉格納容器の内部冷却を続行させることのできる原子炉格納容器内部冷却システムおよび原子炉格納容器の冷却制御方法を提供することを目的とする。
【課題を解決するための手段】
【０００６】
上記目的を達成するため、本発明に係る原子炉格納容器内部冷却システムは、以下の構成を備えている。
即ち、本発明に係る原子炉格納容器内部冷却システムは、冷却水の供給を受けて原子炉格納容器の内部を冷却する原子炉格納容器内部冷却システムに於いて、前記冷却水を給水する給水流路と、前記冷却水を排水する排水流路と、前記排水流路内の圧力を前記給水流路側に選択的に供給可能に構成された圧力供給手段と、前記給水流路の流量値と前記排水流路の流量値とを比較し、前記排水流路の流量値の方が大きい時に、前記圧力供給手段を作動させて前記排水流路内の圧力を前記給水流路側に供給させる制御手段と、を具備してなることを特徴とする。
【０００７】
上記構成によれば、緊急時かつＳＢＯ時であっても、原子炉格納容器の内部温度が所定の温度に保たれていれば、原子炉格納容器の内部に設けられている水冷熱交換手段に冷却水を給水する給水流路の流量と排水流路の流量とが等しくなるため、制御手段は圧力供給手段を作動させない。
【０００８】
しかし、原子炉の異常等により、原子炉格納容器の内部温度が上昇し、上記の水冷熱交換手段の内部で水蒸気が発生した場合には、水蒸気を含んだ冷却水の体積が増加するため、給水流路の流量よりも排水流路の流量が多くなる。
【０００９】
そして、この状況が制御手段に検知され、制御手段が圧力供給手段を作動させる。圧力供給手段が作動すると、排水流路内の圧力が給水流路側に供給され、給水流路内を流れる冷却水の圧力が上昇する。
【００１０】
このため、給水流路から水冷熱交換手段に流れ込む冷却水の沸点が上昇し、冷却水が沸騰しにくくなる。したがって、原子炉格納容器の内部温度が上昇しても、水冷熱交換手段に通水される冷却水が沸騰することを抑制して水冷熱交換手段の破損を防止し、原子炉格納容器の内部冷却を続行させることができる。
【００１１】
前記圧力供給手段は、前記排水流路を流れる沸騰した冷却水を抽水し、この沸騰した冷却水に含まれる水蒸気の圧力を取り出して前記給水流路側に供給するように構成するのが好ましい。
【００１２】
上記構成によれば、排水流路を流れる沸騰した冷却水に含まれる水蒸気の圧力だけが取り出されて給水流路側に供給されるため、給水流路を流れる冷却水に水蒸気が混入して冷却水の温度を上昇させることがなく、水冷熱交換手段には低温で高圧な冷却水が流れ込む。したがって、水冷熱交換手段の内部で水蒸気を発生させることなく、原子炉格納容器の内部を効率良く冷却することができる。
【００１３】
前記圧力供給手段は、前記排水流路から抽水された沸騰した冷却水を気液分離して加圧用蒸気を取り出す気液分離手段と、前記給水流路側に接続されて所定の容積を備えた受圧タンクと、前記気液分離手段と前記受圧タンクとの間を接続する圧力供給管と、前記制御手段により開閉操作され、開弁すると前記排水流路からの抽水が開始される抽水バルブと、を備え、前記抽水バルブが開弁されることにより、前記気液分離手段にて取り出された前記加圧用蒸気が前記圧力供給管を経て前記受圧タンク内の冷却水の水面に加えられる構成としてもよい。
【００１４】
上記構成において、制御手段が抽水バルブを開弁させると、排水流路を流れる沸騰した冷却水が抽水されて気液分離手段に送られ、ここで水蒸気と冷却水とに気液分離される。そのうちの水蒸気が加圧用蒸気として圧力供給管を経て受圧タンクに送られ、受圧タンク内の冷却水の水面に加えられる。受圧タンクは給水流路側に接続されているため、受圧タンク内の冷却水の水面に加えられた加圧用蒸気の圧力により給水流路を流れる冷却水が加圧され、水冷熱交換手段に流れ込む冷却水の圧力を上昇させて沸騰しにくくする。本構成によれば、圧力供給手段を簡素で故障しにくい、信頼性の高い構造にすることができる。
【００１５】
ここで、前記冷却水が貯留される冷却水供給タンク自体を前記受圧タンクとして用いてもよい。
【００１６】
上記構成によれば、受圧タンクを別途設けることなく、冷却水が貯留される冷却水供給タンクをそのまま受圧タンクとして使用し、排水流路の圧力を給水流路側に供給して冷却水を加圧できるため、圧力供給手段を一層簡素な構成にすることができる。
【００１７】
また、前記原子炉設備に付設された他用途の水タンクを前記冷却水の供給タンクにしてもよい。
【００１８】
上記構成によれば、原子炉格納容器内部冷却システムの構成を簡素にすると同時に、原子炉設備の非常時に、例えばＳＢＯ状態となっても、他用途の水タンクから冷却水を供給可能であるため、冷却水の水源が枯渇することを遅延させることができ、原子炉格納容器内部冷却システムの信頼性を高めることができる。
【００１９】
さらに、停電時には、非常用電源により冷却水補給ポンプを作動させて前記冷却水を前記給水流路に給水するとともに、前記非常用電源により前記制御手段を作動させるようにしてもよい。
【００２０】
上記構成によれば、原子炉設備が仮にＳＢＯ状態となっても、引き続き原子炉格納容器内部の冷却を続行することができ、原子炉設備の安全性を高めることができる。
【００２１】
また、本発明に係る原子炉格納容器の冷却制御方法は、冷却水の供給を受けて原子炉格納容器の内部を冷却する原子炉格納容器内部冷却システムに於いて、前記冷却水を給水する給水流路の流量と、前記冷却水を排水する排水流路の流量とを比較し、前記排水流路の流量が前記給水流路の流量よりも大きい場合に、前記排水流路内の圧力を前記給水流路側に供給することを特徴とする。
【００２２】
上記制御方法によれば、原子炉の異常等により、原子炉格納容器の内部温度が上昇し、水冷熱交換手段の内部で水蒸気が発生した場合には、水蒸気を含んだ冷却水の体積が増加するため、排水流路の流量が給水流路の流量よりも大きくなる。このため、排水流路内の圧力が給水流路に供給される。
【００２３】
これにより、給水流路内を流れる冷却水の圧力が高くなるため、給水流路から水冷熱交換手段に流れ込む冷却水の沸点が上昇し、冷却水が沸騰しにくくなる。したがって、原子炉格納容器の内部温度が上昇しても、水冷熱交換手段に通水される冷却水が沸騰することを抑制して水冷熱交換手段の破損を防止し、原子炉格納容器の内部冷却を続行させることができる。
【発明の効果】
【００２４】
以上のように、本発明に係る原子炉格納容器内部冷却システムおよび原子炉格納容器の冷却制御方法によれば、簡素且つ信頼性の高い構成により、原子炉格納容器の内部温度上昇時に、原子炉格納容器の内部に設置された水冷熱交換手段に通水される冷却水が沸騰することを抑制し、原子炉格納容器の内部冷却を続行させることができる。
【図面の簡単な説明】
【００２５】
【図１】本発明の第１実施形態を示す原子炉格納容器内部冷却システムの概略構成図である。
【図２】本発明の第２実施形態を示す原子炉格納容器内部冷却システムの概略構成図である。
【発明を実施するための形態】
【００２６】
以下に、本発明の複数の実施形態について説明する。
【００２７】
［第１実施形態］
まず、本発明の第１実施形態について、図１を参照しながら説明する。
図１は、本発明の第１実施形態を示す原子炉格納容器内部冷却システムの概略構成図である。この原子炉格納容器内部冷却システム１は、原子力発電所等の原子炉設備における原子炉格納容器２の内部に設置された冷却コイル３（水冷熱交換手段）と、原子炉格納容器２の外部から冷却コイル３に接続された給水流路４および排水流路５と、給水流路４および排水流路５の他端側が接続されるＣＣＷＳ（冷却水循環装置）６と、給水流路４に設置された給水流量検知部８（給水流量検知手段）と、排水流路５に設置された排水流量検知部９（排水流量検知手段）と、圧力供給部１１（圧力供給手段）と、制御装置１２（制御手段）とを具備して構成されている。
【００２８】
ＣＣＷＳ６は、緊急時に冷却コイル３に冷却水を供給して原子炉格納容器２の内部温度を所定の温度に制御する装置であり、図示しない専用の循環ポンプと、冷却水の供給源となる冷却水タンク等を備えている。さらに、この原子炉格納容器内部冷却システム１には、一端が給水流路４に接続された冷却水補給管１５と、この冷却水補給管１５の他端に接続された冷却水供給タンク１６と、冷却水補給管１５の途中に接続された冷却水補給ポンプ１７および仕切弁１８等が備えられている。冷却水供給タンク１６としては、原子炉設備に付設された他用途の水タンクを共用してもよい。
【００２９】
冷却コイル３は、給水流路４から冷却水の供給を受けて原子炉格納容器２の内部を冷却し、原子炉格納容器２の内部温度を所定の温度に保つ。冷却コイル３で熱交換して温度が上昇した冷却水は、排水流路５から排水される。また、給水流路４を流れる冷却水の流量Ｆ１が給水流量検知部８に検知され、排水流路５を流れる冷却水の流量Ｆ２が排水流量検知部９に検知される。これらの流量のデータ信号は制御装置１２に送信される。
【００３０】
緊急時には、ＣＣＷＳ６から供給される冷却水が、給水流路４→冷却コイル３→排水流路５→ＣＣＷＳ６という順序で循環する。冷却水は、冷却コイル３に送られて熱交換して温度が上昇し、ＣＣＷＳ６に還流する。
【００３１】
一方、圧力供給部１１は、排水流路５と給水流路４との間を接続するように設けられ、排水流路５を流れる冷却水が沸騰した場合に、この沸騰した冷却水の一部を抽水し、この抽水した冷却水に含まれる水蒸気の圧力を加圧用圧力として取り出して、これを給水流路４側に選択的に供給するように構成されている。
【００３２】
例えば、圧力供給部１１は、排水流路５に抽水管２０を介して接続されたドレントラップ２１（気液分離手段）と、給水流路４側に連結管２２を介して接続されて所定の容積を備えた受圧タンク２３と、ドレントラップ２１と受圧タンク２３との間を接続する圧力供給管２４と、抽水管２０に設けられた抽水バルブ２５Ａと、排水流路５において抽水管２０の分岐部とＣＣＷＳ６との間に接続された閉止バルブ２５Ｂと、連結管２２に設けられた開閉バルブ２６と、排水流路５に設けられた外部放出用の放出弁２７とを備えて構成されている。抽水バルブ２５Ａと閉止バルブ２５Ｂと開閉バルブ２６は電気的に開閉される弁（例えば電磁弁）であり、制御装置１２によって開閉操作されるようになっている。抽水バルブ２５Ａと閉止バルブ２５Ｂは、その一方が開くと他方が閉じるように制御される。
【００３３】
抽水管２０に設けられた抽水バルブ２５Ａが開き、排水流路５に設けられた閉止バルブ２５Ｂが閉じると、排水流路５を流れる冷却水が抽水管２０側に抽水されてドレントラップ２１に流れる。ドレントラップ２１は、抽水された冷却水に混入している水蒸気を冷却水から気液分離し、その水蒸気だけを加圧用蒸気として取り出すことのできる一般的な構造のものでよい。受圧タンク２３には所定の水位で冷却水が貯留されており、抽水バルブ２５Ａの開弁に伴い、ドレントラップ２１にて取り出された加圧用蒸気が圧力供給管２４を経て受圧タンク２３内の冷却水の水面に加えられる。また、開閉バルブ２６の開弁に伴い、受圧タンク２３内の冷却水の水圧が給水流路４側に供給される。
【００３４】
また、この原子炉格納容器内部冷却システム１には非常用電源２８が備えられており、この非常用電源２８から冷却水補給ポンプ１７と制御装置１２に電力を供給することができる。この時には給水流量検知部８と排水流量検知部９と抽水バルブ２５Ａと閉止バルブ２５Ｂと開閉バルブ２６にも制御装置１２を経て電力が供給される。他の電気動作部分をこの非常用電源２８により動作させるようにしてもよい。このため、停電時（ＳＢＯ時等）にＣＣＷＳ６が作動しなくなっても、非常用電源２８により冷却水補給ポンプ１７を作動させて冷却水供給タンク１６の冷却水を給水流路４に給水することができる。
【００３５】
以上のように構成された原子炉格納容器内部冷却システム１において、制御装置１２は、給水流量検知部８と排水流量検知部９とから、それぞれ給水流路４を流れる冷却水の流量データＦ１と、排水流路５を流れる冷却水の流量データＦ２を受信する。そして、排水流路５の流量Ｆ２が給水流路４の流量Ｆ１よりも大きくなった時（Ｆ２＞Ｆ１）は蒸気が発生しているため、圧力供給部１１を作動させて排水流路５内の蒸気圧力により給水流路４側を加圧するようにプログラムされている。
【００３６】
原子炉の平常稼働時には原子炉格納容器２の内部温度が所定の温度に保たれており、給水流路４の流量Ｆ１と排水流路５の流量Ｆ２とが等しく保たれているため、制御装置１２は圧力供給部１１を作動させない。しかし、原子炉の異常等により、原子炉格納容器２の内部温度が上昇し、冷却コイル３の内部で水蒸気が発生した場合には、水蒸気を含んだ冷却水の体積が増加するため、排水流路５の流量Ｆ２が給水流路４の流量Ｆ１よりも多くなる。
【００３７】
この状況は、給水流量検知部８および排水流量検知部９からの信号により制御装置１２に検知され、制御装置１２が抽水バルブ２５Ａと開閉バルブ２６を開き、閉止バルブ２５Ｂを閉じて圧力供給部１１を作動させる。抽水バルブ２５Ａが開くと、排水流路５を流れる沸騰した冷却水が抽水管２０から抽水されてドレントラップ２１に送られ、ここで水蒸気と冷却水とに気液分離されて水蒸気が加圧用蒸気として取り出され、この加圧用蒸気が圧力供給管２４を経て受圧タンク２３内の冷却水の水面に加えられる。さらに、開閉バルブ２６の開弁により、受圧タンク２３内の冷却水の水圧が給水流路４側に供給される。
【００３８】
このため、給水流路４から冷却コイル３に流れ込む前の冷却水が加圧されて、その沸点が上昇し、冷却水が沸騰しにくくなる。したがって、原子炉格納容器２の内部温度が上昇しても、冷却コイル３に通水される冷却水が沸騰することを抑制し、冷却コイル３の破損を防止して、原子炉格納容器２の内部冷却を続行することができる。
【００３９】
この時に停電が起きていてＣＣＷＳ６が作動しなくなった場合には、非常用電源２８により冷却水補給ポンプ１７を作動させ、冷却水供給タンク１６の冷却水を給水流路４に給水することにより冷却コイル３への冷却水の供給を行う。また、同じく非常用電源２８により制御装置１２を作動させるとともに、抽水バルブ２５Ａと閉止バルブ２５Ｂと開閉バルブ２６にも制御装置１２を経て電力を供給し、圧力供給部１１を作動させる。このため、冷却コイル３に通水される冷却水の沸騰を抑制し、且つ冷却水を枯渇させることなく原子炉格納容器２の内部冷却を続行することができる。
【００４０】
この原子炉格納容器内部冷却システム１において、圧力供給部１１は、排水流路５を流れる沸騰した冷却水を抽水管２０から抽水し、この沸騰した冷却水に含まれる水蒸気を気液分離して加圧用蒸気として取り出し、この加圧用蒸気を受圧タンク２３内の水面上に供給することにより給水流路４側に圧力供給するように構成されているため、排水流路５を流れる沸騰した冷却水に含まれる水蒸気だけを加圧用蒸気として取り出して給水流路４に供給することができる。
【００４１】
このため、例えば給水流路４を流れる冷却水に排水流路５からの水蒸気が混入して冷却水の温度が上昇したりすることがなく、冷却コイル３には低温で高圧な冷却水が流れ込む。したがって、冷却コイル３の内部で水蒸気を発生させることなく、原子炉格納容器２の内部を効率良く冷却することができる。
【００４２】
圧力供給部１１は、排水流路５から抽水管２０により抽水された沸騰した冷却水を気液分離して加圧用蒸気を取り出す気液分離手段としてのドレントラップ２１と、給水流路４側に接続された受圧タンク２３と、圧力供給管２４と、抽水バルブ２５Ａと、閉止バルブ２５Ｂと、開閉バルブ２６とを備え、抽水バルブ２５Ａおよび開閉バルブ２６が開弁し、閉止バルブ２５Ｂが閉弁されることにより、ドレントラップ２１にて取り出された加圧用圧力が圧力供給管２４を経て受圧タンク２３内の冷却水の水面に加えられる構成であるため、圧力供給部１１を簡素で故障しにくい、信頼性の高い構造にすることができる。
【００４３】
また、冷却水供給タンク１６として原子炉設備に付設された他用途の水タンクを共用することにより、原子炉格納容器内部冷却システム１の構成を簡素にすると同時に、原子炉設備の非常時に、仮に全電源喪失状態となっても、他用途の水タンクから冷却水を供給することができるため、冷却水の水源が枯渇することを遅延させることができ、原子炉格納容器内部冷却システム１の信頼性を高めることができる。
【００４４】
［第２実施形態］
次に、本発明の第２実施形態について、図２を参照しながら説明する。
図２は、本発明の第２実施形態を示す原子炉格納容器内部冷却システムの概略構成図である。この原子炉格納容器内部冷却システム３１において、図１に示した第１実施形態に係る原子炉格納容器内部冷却システム１と異なるのは、冷却水が貯留される冷却水供給タンク１６自体が受圧タンクとして用いられている点と、圧力供給部３２の一部の構成が第１実施形態の圧力供給部１１と異なるのみであり、その他の同一構成部には、その各部に同一符号を付して説明を省略する。
【００４５】
圧力供給部３２のドレントラップ２１から延びる圧力供給管２４は、第１実施形態のように給水流路４には接続されずに、冷却水供給タンク１６の水面上に接続されている。このため、第１実施形態の受圧タンク２３、連結管２２、開閉バルブ２６は設けられていない。
【００４６】
このように構成された原子炉格納容器内部冷却システム３１において、原子炉の異常等により、原子炉格納容器２の内部温度が上昇し、冷却コイル３の内部で水蒸気が発生した場合には、水蒸気を含んだ冷却水の体積が増加して排水流路５の流量Ｆ２が給水流路４の流量Ｆ１よりも多くなり、第１実施形態の場合と同じく制御装置１２が抽水バルブ２５を開いて圧力供給部３２を作動させる。
【００４７】
抽水バルブ２５Ａが開き、閉止バルブ２５Ｂが閉じると、排水流路５を流れる沸騰した冷却水が抽水管２０から抽水されてドレントラップ２１に送られ、ここで水蒸気と冷却水とに気液分離されて水蒸気が加圧用蒸気として取り出され、この加圧用蒸気が圧力供給管２４を経て冷却水供給タンク１６の水面上に加えられる。同時に、仕切弁１８が開弁し、冷却水補給ポンプ１７が作動して、冷却水供給タンク１６内の冷却水が給水流路４に供給される。この冷却水には加圧用蒸気の圧力が付与されているため、その沸点が上昇しており、沸騰しにくくなっている。したがって、原子炉格納容器２の内部温度が上昇しても、冷却コイル３に通水される冷却水が沸騰することを抑制し、冷却コイル３の破損を防止して、原子炉格納容器２の内部冷却を続行することができる。
【００４８】
本構成によれば、受圧タンクを別途設けることなく、冷却水が貯留される冷却水供給タンク１６をそのまま受圧タンクとして流用し、排水流路５の圧力を給水流路４側に供給して冷却水を加圧することができるため、圧力供給部３２を第１実施形態の圧力供給部１１よりも格段に簡素化することができ、これにより圧力供給部３２の故障等を防止して原子炉格納容器内部冷却システム３１を信頼性の高いものにすることができる。
【００４９】
以上のように、本発明の各実施形態に係る原子炉格納容器内部冷却システム１，３１によれば、簡素で信頼性の高い構成により、原子炉格納容器２の内部温度が上昇した時に、原子炉格納容器２の内部に設置された冷却コイル３に通水される冷却水が沸騰することを抑制し、原子炉格納容器２の内部冷却を続行させることができる。
【００５０】
なお、本発明は上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
例えば冷却コイル３とＣＣＷＳ６の構成や位置関係、さらに他の部材との配置関係等は、上記実施形態のものと異なるものであってもよい。
【符号の説明】
【００５１】
１，３１  原子炉格納容器内部冷却システム
２  原子炉格納容器
３  冷却コイル（水冷熱交換手段）
４  給水流路
５  排水流路
６  ＣＣＷＳ
８  給水流量検知部（給水流量検知手段）
９  排水流量検知部（排水流量検知手段）
１１，３２  圧力供給部（圧力供給手段）
１２  制御装置（制御手段）
１５  冷却水補給管
１６  冷却水供給タンク
１７  冷却水補給ポンプ
２０  抽水管
２１  ドレントラップ（気液分離手段）
２３  受圧タンク
２４  圧力供給管
２５Ａ  抽水バルブ
２５Ｂ  閉止バルブ
２６  開閉バルブ
２８  非常用電源
Ｆ１  給水流路の流量
Ｆ２  排水流路の流量
【図１】
2013181879.tif 000003
【図２】
2013181879.tif 000004